(57)【要約】 【課題】  狭い住宅でも間仕切りを効率良く配置して空間の利用効率を向上し、且つ手間の掛からない住宅の間取り変更構造を提供する。 【解決手段】  住宅２１の部屋区画のための可動間仕切り３０は可動部３１とこの可動部３１を格納する収納部３２から成り、各可動間仕切り３０ａ、３０ｂ、３０ｃ、３０ｄの各収納部３２は側壁２２ａ、２２ｂ、２２ｃと側壁２２ｄに代わる壁としての主寝室２８の内壁に沿って直角に立設される。各可動部３１が収納部３２から引出されると住宅２１の略中央である区画中心部３３で交わる位置に設けられる。四組の各可動間仕切り３０ａ、３０ｂ、３０ｃ、３０ｄの可動部３１は区画中心部３３周りに各々直角である。隣接する一対の可動間仕切り３０ａ、３０ｄで形成される部屋区画５４には浴室付洗面所２４と玄関ホール２５と多目的空間２５ａを備える。【選択図】  図１
2008081975.tif 000002
【特許請求の範囲】
【請求項１】
側壁に囲まれた住宅の部屋区画が間仕切りで形成される住宅の間取り変更構造であって、
前記間仕切りは可動部とこの可動部を格納する収納部からなる複数の可動間仕切りから成り、前記各収納部は前記側壁又は側壁近傍壁に沿うとともに前記各可動部が前記格納部から引出されると住宅の略中央の区画中心部で交わる方向に向けて立設され、
隣接する一対の前記可動間仕切りで形成される一組の部屋区画は浴室付洗面所と玄関ホールと多目的空間とを備えることを特徴とする住宅の間取り変更構造。
【請求項２】
請求項１に記載の住宅の間取り変更構造であって、前記可動間仕切りは前記区画中心部周りに各々直角で四組の可動間仕切りから成ることを特徴とする住宅の間取り変更構造。
【請求項３】
請求項１又は請求項２に記載の住宅の間取り変更構造であって、前記浴室付洗面所と玄関ホールは側壁に沿って一列に設けられ、第二の収納部と第二の可動部からなる第二の可動間仕切りが前記浴室付洗面所の側壁に平行な内側壁に沿って立設され、第二の可動部によって前記浴室付洗面所又は玄関ホールの扉の開閉が兼用されることを特徴とする住宅の間取り変更構造。
【請求項４】
請求項１乃至請求項３のいずれか１項に記載の住宅の間取り変更構造であって、前記可動間仕切りの可動部は複数の仕切り板によるスライド式であることを特徴とする住宅の間取り変更構造。
【発明の詳細な説明】
【技術分野】
【０００１】
本発明は、住宅の各部屋区画（部屋空間）が狭いときに、それらの空間を状況に応じて広い空間に変更するための技術に関し、詳しくは、部屋の使用目的に合わせて間仕切り位置を変更できる住宅の間取り変更構造の技術に関する。
【背景技術】
【０００２】
従来、例えば特許文献１に住宅の間取り変更構造１が開示されている。図１１に示すように、住宅の間取りは部屋空間２の略中央部を起点にして、図面右上に廊下３、トイレ４、洗面所５、浴室６及び玄関ホール７、右下にダイニングキッチン８、左上に第１部屋９、左下にクローゼット１０を備える第２部屋１１がそれぞれ設けられる。
【０００３】
そして、トイレ４の側壁４ａと洗面所５の側壁５ａとの間に間仕切り収納部１３が設けられる。
【０００４】
部屋空間２の左右方向略中央には、側壁２ｂに接して収納部１７が設けられ、この収納部１７に引込み戸１８、１８が引出し自在に収納されている。
【０００５】
部屋空間２の床と天井には、間仕切りレール１９、２０、２１が設けられ、間仕切りレール１９、２０、２１に設置される可動間仕切り１４、１５は複数の間仕切り部材１４ａと１５ａを備え、分割された状態で間仕切り収納部１３に収納されるようになっている。
【０００６】
そして、部屋空間２の略中央を起点として、可動間仕切り１４とクローゼット１０とにより、左側の部屋空間２が第１部屋９と第２部屋１１とに仕切られる。
【０００７】
また、可動間仕切り１５と引込み戸１８によって、ダイニングキッチン８と第２部屋１１が仕切られる。
【０００８】
このように、可動間仕切り１４、１５は間仕切りレール１９、２０、２１への着脱と配置替えによってバリエーションのある間仕切りが可能となる。間仕切りを必要としないときには間仕切り収納部１３にしまっておいて必要になればいつでも取り出して間仕切りが行える。
【特許文献１】特開平１１−２５６８４４号公報
【発明の開示】
【発明が解決しようとする課題】
【０００９】
しかしながら、従来の上記住宅の間取り変更構造は、可動間仕切り１４、１５を間仕切り収納部１３まで持運ぶことに大変な労力が必要であった。また、トイレ、洗面所、浴室に隣接する廊下は囲まれた空間でありそれ以外の用途には使用できないので空間効率が悪いという問題があった。
【００１０】
そこで、本発明は、上記従来の問題点を解消して、狭い住宅でも間仕切りを効率良く配置することで空間の利用効率が向上し、且つ手間の掛からない住宅の間取り変更構造を提供することを目的とする。
【課題を解決するための手段】
【００１１】
請求項１の発明は、側壁に囲まれた住宅の部屋区画が間仕切りで形成される住宅の間取り変更構造であって、前記間仕切りは可動部とこの可動部を格納する収納部からなる複数の可動間仕切りから成り、前記各収納部は前記側壁又は側壁近傍壁に沿うとともに前記各可動部が前記格納部から引出されると住宅の略中央の区画中心部で交わる方向に向けて立設され、隣接する一対の前記可動間仕切りで形成される一組の部屋区画は浴室付洗面所と玄関ホールと多目的空間とを備えることを特徴としている。
【００１２】
請求項２の発明は、請求項１に記載の住宅の間取り変更構造であって、前記可動間仕切りは前記区画中心部周りに各々直角で四組の可動間仕切りから成ることを特徴としている。
【００１３】
請求項３の発明は、請求項１又は請求項２に記載の住宅の間取り変更構造であって、前記浴室付洗面所と玄関ホールは側壁に沿って一列に設けられ、第二の収納部と第二の可動部からなる第二の可動間仕切りが前記浴室付洗面所の側壁に平行な内側壁に沿って立設され、第二の可動部によって前記浴室付洗面所又は玄関ホールの扉の開閉が兼用されることを特徴としている。
【００１４】
請求項４の発明は、請求項１乃至請求項３のいずれか１項に記載の住宅の間取り変更構造であって、前記可動間仕切りの可動部は複数の仕切り板によるスライド式であることを特徴としている。
【発明の効果】
【００１５】
請求項１記載の発明によれば、前記各収納部は前記側壁又は側壁近傍壁に沿うとともに前記各可動部が前記格納部から引出されると住宅の略中央の区画中心部で交わる方向に向けて立設されるので、複数の可動間仕切りにより住宅の略全領域において多くの部屋配置のバリエーションが得られるので、種々のニーズに対応して部屋区画を自由に形成できるため狭い住宅でも空間の利用効率が向上する。
【００１６】
また、可動間仕切りなので短時間で容易に区画変更できるので手間が掛からない。
【００１７】
浴室付洗面所と玄関ホールが住居区画とは独立に区画されていると洗面所と浴室を使用する際の廊下等の空間を他の目的に使用することはできないが、隣接する一対の前記可動間仕切りで形成される一組の部屋区画は浴室付洗面所と玄関ホールを使用する際に必要な廊下等の空間を含む大きな空間として有効に利用することができる。
【００１８】
請求項２の発明によれば、前記区画中心部周りに各々直角で四組の可動間仕切りから成るので、部屋空間が略矩形形状となるので使用しやすく空間効率に優れる。また、四組の可動間仕切りを任意に選択することで部屋配置のバリエーションが多く得られるので種々のニーズに対応できて請求項１の効果と同様の効果が得られる。
【００１９】
請求項３の発明によれば、前記浴室付洗面所と玄関ホールは側壁に沿って一列に設けられ、第二の収納部と第二の可動部からなる第二の可動間仕切りが前記浴室付洗面所の側壁に平行な内側壁に沿って立設され、第二の可動部によって前記浴室付洗面所又は玄関ホールの扉の開閉が兼用されるので、来客時等においては前記浴室付洗面所の扉又は玄関ホールの内扉として用いられるが、来客のない場合には扉を収納して洗面所と玄関ホールの空間も住宅スペースとして取り込むことができる。このため、請求項１の効果と同様の効果が得られる。
【００２０】
請求項４の発明によれば、前記可動間仕切りの可動部は複数の仕切り板によるスライド式であるので可動間仕切りの引出し及び引き込みが容易且つ迅速にできる。
【発明を実施するための最良の形態】
【００２１】
以下に、本発明の第１の実施形態を図１〜図９に基づいて説明する。
【００２２】
＜住宅の間取り変更構造の構成＞
図１に示すように、住宅２１は平面視略矩形形状で直線状の側壁２２ａ、２２ｂ、２２ｃと他の凹凸状の側壁２２ｄに囲まれる。側壁２２ａと側壁２２ｃは平行である。
【００２３】
側壁２２ａに沿って、キッチンルーム２３、浴室付洗面所２４（浴室２４ａ、洗面所２４ｂ）、玄関ホール２５が一列に設けられ、キッチンルーム２３と玄関ホール２５はそれぞれ側壁２２ｂ、２２ｄにも沿っている。
【００２４】
側壁２２ｄに沿って、玄関ホール２５の隣にトイレ２６と納戸２７が設けられ、側壁２２ｄと側壁２２ｃに挟まれる隅部には主寝室２８が設けられる。
【００２５】
側壁２２ｂに沿って側壁２２ｃとの角部に居間５０、居間５０とキッチンルーム２３との間に食堂５１、居間５０と主寝室２８の間にゲストルーム５２のそれそれ空間が設けられる。側壁２２ｂの外側にはテラス２９を備えている。
【００２６】
このような形状の住宅２１の部屋区画のための可動間仕切り３０は可動部３１とこの可動部３１を格納する収納部３２から成り、各可動間仕切り３０ａ、３０ｂ、３０ｃ、３０ｄの各収納部３２は側壁２２ａ、２２ｂ、２２ｃ又は側壁近傍壁２２ｅ（側壁２２ｄに代わる壁としての主寝室２８の内壁）に沿って直角に立設される。そして、各可動部３１が収納部３２から引出されると住宅２１の略中央である区画中心部３３で交わる位置に設けられる。
【００２７】
このため、合計四組の各可動間仕切り３０ａ、３０ｂ、３０ｃ、３０ｄの可動部３１は区画中心部３３周りに各々直角である。
【００２８】
隣接する一対の可動間仕切り３０ａ、３０ｄで形成される部屋区画５４は浴室付洗面所２４と玄関ホール２５と多目的空間２５ａを備える。このため、部屋区画５４には浴室２４ａ、洗面所２４ｂ、玄関ホール２５を使用する際に必要な廊下等の空間も含まれる。
【００２９】
図２に示すように、可動間仕切り３０の可動部３１は高さＨ１の３枚の仕切り板Ｐ、Ｑ、Ｒによるスライド式である。収納部３２の内法寸法は３枚の仕切り板Ｐ、Ｑ、Ｒが収納できる幅W、深さＴ、高さＨ２に形成され、収納部３２の外法高さＨ３は住宅の天井と床の空間高さと同じである。このため、Ｈ１＜Ｈ２＜Ｈ３の関係である。
【００３０】
図３（ａ）に示すように、３枚の仕切り板Ｐ、Ｑ、Ｒ全体が同時に重なった状態である。そして、仕切り板Pに仕切り板Ｑが第一のスライドガイド手段３５で保持される。
【００３１】
第一のスライドガイド手段３５はスライド板３５ａと一対のリンクアーム３５ｂが回転自在に連結される。そして、隣接する仕切り板Ｐ、Ｑの対向する側面K１、K２にそれぞれ第一のスライドガイド手段３５を収納する水平の長溝Ｐ１、Ｑ１が形成される。長溝Ｐ１、Ｑ１は垂直断面凸形状でスライド板３５ａは側面K１から離脱しないがリンクアーム３５ｂは側面K１を水平方向に自在に出入りすることができる。  
スライド板３５ａの両端の位置Ｓでピン固定された一対のリンクアーム３５ｂは、その他端が仕切り板Ｑの長溝Ｑ１内の位置Ｔでピン固着される。そして、スライド板３５ａを回転突出して仕切り板Ｐに備える長溝Ｐ１に挿入される。スライド板３５ａは二箇所の位置Ｔを中心に平行回転することができる。
【００３２】
図３（ｂ）（ｃ）に示すように、仕切り板Ｐ、Ｑが互いに水平方向にスライドして離反する状態で、スライド板３５ａが一対のリンクアーム３５ｂを介して回転し、一方の仕切り板Ｑの長溝Ｑ１に収納される。このとき、スライド板３５ａの先端部Ｇが仕切り板Ｐの長溝Ｐ１に挿入されることにより隣接する仕切り板Ｐ、Ｑが互いに面一で位置固定される。
【００３３】
図３（ｄ）、（ｅ）に示すように、仕切り板Ｑ、Ｒの対向する側面K３、K４にそれぞれ水平の長溝Ｑ２と第二のスライドガイド手段としてのローラー３８を設ける。そして、仕切り板Ｒはローラー３８によって仕切り板Ｑに懸架されてスライドできるので、仕切り板Ｒは扉としての役目を果たすことができる。
【００３４】
収納部１７と仕切り板Ｐは図示しないスライド手段により引出されるが、仕切り板Ｐの一端は収納部１７の開放端に離脱しないように係止される。
【００３５】
図４に示すように、仕切り板Ｐ、Ｑには第一のスライドガイド手段３５を収納する長溝Ｐ１、Ｑ１がそれぞれ一条設けられ、さらに仕切り板Ｑにはローラー３８を収納する二条の長溝Ｑ２が所定の間隔Ｈで設けられる。
【００３６】
長溝Ｐ１、Ｑ１、Ｑ２の取付位置は仕切り板Ｑ、Ｒのスライド移動を安定して容易に行なうためにできるだけ上方に設けるのが好ましい。仕切り板Ｐ、Ｑ、Ｒの下部には必要に応じて図示しないコロを備えることにより、仕切り板Ｐ、Ｑ、Ｒの自重を床で支えることができるので安定性を向上することができる。
【００３７】
＜住宅の間取り変更構造の作用＞
図５に示すように、可動間仕切り３０ａ、３０ｄを引出し、その他の可動間仕切り３０ｂ、３０ｃは引き込みの状態である。この状態では、部屋区画５４は浴室付洗面所２４と玄関ホール２５と多目的空間２５ａとからなり、浴室２４ａ、洗面所２４ｂ、玄関ホール２５を使用する際に必要な廊下等の空間を含む広い空間である。このため、例えばこの空間をトレーニングルームとして活用できる。
【００３８】
図６に示すように、可動間仕切り３０ｃ、３０ｄを引出し、その他の可動間仕切り３０ａ、３０ｂは引き込みの状態である。この状態では、ゲストルーム５２の空間が不意の来客時や子供が大きくなったときの部屋としてとして活用できる。
【００３９】
図７に示すように、可動間仕切り３０ｂ、３０ｃを引出し、その他の可動間仕切り３０ａ、３０ｄは引き込みの状態である。この状態では、居間５０はシアタールームとして映像を鑑賞する個室として活用できる。逆に、映像を見ない人は居間５０以外の空間でゆったりと過ごすことができる。
【００４０】
図８に示すように、可動間仕切り３０ａ、３０ｂを引出し、その他の可動間仕切り３０ｃ、３０ｄは引き込みの状態である。この状態では、食堂５１で家事が専念できるとともに食器等の後片付けの騒音を遮蔽できる。食堂５１で子供に勉強させるときには集中させることができる。
【００４１】
図９に示すように、すべての可動間仕切り３０を収納した状態は、狭いマンションでは実現が困難な広い大きな居間が形成できるので、大勢の子供が遊びに来たときやパーティーに便利に使用できる。
【００４２】
このように、狭い住宅でも間仕切りを効率良く配置して状況に応じて色々な空間が創出できるので空間の利用効率が向上する。また、間仕切りの変更に手間が掛からず容易に実現できる。
【００４３】
＜第２の実施形態＞
本発明の第２の実施形態を図１０を用いて説明するが、図１に示す住宅の間取り変更構造の構成と同構成部分については、図面に同符号を付して重複した説明を省略する。
【００４４】
図１０に示すように、第二の可動間仕切り５５が側壁２２ａに平行な浴室５４ａの内側壁に沿って立設される。第二の可動間仕切り５５は第二の収納部５５ａと一枚の仕切り板から成る第二の可動部５５ｂからなり、第二の可動部５５ｂは洗面所２４ｂの開口部５６又は玄関ホール２５を開口部５７のどちらか一方を閉じることができる。
【００４５】
このように、第二の可動部５５ｂは浴室付洗面所２４又は玄関ホール２５のいずれか一方を開閉することでプライバシーが保てるとともに、その両方を同時に解放することもできるので、来客のない場合には狭い住宅でも広い空間が得られるので空間の利用効率をさらに向上できる。
【００４６】
以上、本発明の実施形態を図面に基づいて説明したが、上記の実施例はいずれも本発明の一例を示したものであり、本発明はこれらに限定されるべきでないということは言うまでもない。
【００４７】
例えば、可動間仕切り３０の各仕切り板P、Q、Rが面一の構成でも構わない。仕切り板は二枚以下或いは三枚以上の構成でもよい。
【００４８】
四組の可動間仕切り３０は、対向する二組だけを引出して大きな空間が二箇所の状態や、三組の可動間仕切りを引出した状態にもできる。
【００４９】
可動間仕切り３０の可動部は複数組の仕切り板によるスライド式以外に、ロール式又は折畳み式のスクリーン等を用いることもできる。
【図面の簡単な説明】
【００５０】
【図１】本発明の第１の実施形態における、住宅の間取り変更構造の平面図である。
【図２】本発明の第１の実施形態における、可動間仕切り３０の３枚の仕切り板Ｐ、Ｑ、Ｒからなる可動部３１と収納部３２との関係を示す斜視図である。
【図３】本発明の第１の実施形態における可動部３１の動作概念を説明するための、（ａ）は仕切り板Ｐ、Ｑ、Ｒが第一のスライドガイド手段３５で保持されて互いが重なっている状態、（ｂ）は仕切り板Ｑと仕切り板Ｒが重なった状態で仕切り板Ｑが仕切り板Ｐから引出された状態、（ｃ）は仕切り板Ｑ、Ｒが重なった状態のままで仕切り板Ｑが回転して仕切り板Ｐと面一に成った状態、（ｄ）は仕切り板Ｒが第二のスライドガイド手段としてのローラー３８で仕切り板Ｑに重なって保持されている状態、（ｅ）は仕切り板Ｒが仕切り板Ｑから引出された状態を示す平面図である。
【図４】本発明の第１の実施形態における、仕切り板Ｐに設けられる長溝Ｐ１と、仕切り板Ｑに設けられる長溝Ｑ１、長溝Ｑ２の配置の状態を示す斜視図である。
【図５】本発明の第１の実施形態における、可動間仕切り３０ａ、３０ｄを引出し、その他の可動間仕切り３０ｂ、３０ｃを引込んだ状態の住宅の間取り図である。
【図６】本発明の第１の実施形態における、可動間仕切り３０ｃ、３０ｄを引出し、その他の可動間仕切り３０ａ、３０ｂを引込んだ状態の住宅の間取り図である。
【図７】本発明の第１の実施形態における、可動間仕切り３０ｂ、３０ｃを引出し、その他の可動間仕切り３０ａ、３０ｄを引込んだ状態の住宅の間取り図である。
【図８】本発明の第１の実施形態における、可動間仕切り３０ａ、３０ｂを引出し、その他の可動間仕切り３０ｃ、３０ｄを引込んだ状態の住宅の間取り図である。
【図９】本発明の第１の実施形態における、すべての可動間仕切り３０を引込んだ状態の住宅の間取り図である。
【図１０】本発明の第２の実施形態における、四組の可動間仕切り３０と第二の可動間仕切り５５の状態を示す住宅の間取り図である。
【図１１】従来例における、住宅の間取り変更構造の平面図である。
【符号の説明】
【００５１】
２１  住宅
２２ａ  側壁
２２ｂ  側壁
２２ｃ  側壁
２２ｄ  側壁
２４  浴室付洗面所
２５  玄関ホール
２５ａ  多目的空間
２８  主寝室
３０  可動間仕切り
３０ａ  可動間仕切り
３０ｂ  可動間仕切り
３０ｃ  可動間仕切り
３０ｄ  可動間仕切り
３１  可動部
３２  収納部
３３  区画中心部
５４  部屋区画
【図１】
2008081975.tif 000003
【図２】
2008081975.tif 000004
【図３】
2008081975.tif 000005
【図４】
2008081975.tif 000006
【図５】
2008081975.tif 000007
【図６】
2008081975.tif 000008
【図７】
2008081975.tif 000009
【図８】
2008081975.tif 000010
【図９】
2008081975.tif 000011
【図１０】
2008081975.tif 000012
【図１１】
2008081975.tif 000013